(57)【特許請求の範囲】
【請求項１】
石炭突き固め体をコークス炉室内に装入するための方法であって、
石炭を適当なプレス装置によって単数又は複数の石炭ブロックに圧縮し、かつ締め固め、それによって、ばらけることのない密な石炭ケーキを得て、
得られた石炭ケーキを、剪断装置によって複数の突き固め体に分割し、それによって、コークス炉室内でコークス化するために設けられ、かつ正確に調量された分量で提供される石炭突き固め体を得て、
得られた石炭突き固め体を、水平方向に互いに突き合わせて並べかつ互いに上下に積み重ねて、
各石炭突き固め体間に、灰の層を設けるか又は、燃焼後にスラッジが残らない紙より成る層を設けて、水平方向に装入するようになっているコークス炉室内に装入することを特徴とする、石炭突き固め体をコークス炉室内に装入するための方法。
【請求項２】
得られた石炭突き固め体を、台車に載せて、水平方向に装入するようになっているコークス炉室内にもたらす、請求項１記載の、石炭突き固め体をコークス炉室内に装入するための方法。
【請求項３】
前記剪断装置が金属刃又は鋸刃である、請求項１記載の、石炭突き固め体をコークス炉室内に装入するための方法。
【請求項４】
前記剪断装置がワイヤである、請求項１記載の、石炭突き固め体をコークス炉室内に装入するための方法。
【請求項５】
前記プレス装置が油圧プレスである、請求項１から４までのいずれか１項記載の、石炭突き固め体をコークス炉室内に装入するための方法。
【請求項６】
前記プレス装置が振動圧縮機であって、該振動圧縮機によって塊炭の充填密度が圧縮されて高められる、請求項１から４までのいずれか１項記載の、石炭突き固め体をコークス炉室内に装入するための方法。
【請求項７】
前記プレス装置が、プレッシャプレートを有するハンマ装置である、請求項１から４までのいずれか１項記載の、石炭突き固め体をコークス炉室内に装入するための方法。
【請求項８】
前記プレス装置が、先の尖った複数の押し込み針を備えた単数又は複数のプレッシャプレートである、請求項１から７までのいずれか１項記載の、石炭突き固め体をコークス炉室内に装入するための方法。
【請求項９】
請求項１から８までのいずれか１項記載の石炭突き固め体をコークス炉室内に装入するための方法において、得られた石炭突き固め体を、回収不能（Ｎｏｎ−Ｒｅｃｏｖｅｒｙ）型又は熱回収（Ｈｅａｔ−Ｒｅｃｏｖｅｒｙ）型の水平型コークス炉室内にもたらすことを特徴とする、石炭突き固め体をコークス炉室内に装入するための方法。
【請求項１０】
請求項１から９までのいずれか１項記載の石炭突き固め体をコークス炉室内に装入するための方法において、得られた石炭突き固め体を、縦方向で５〜３０個、横方向で１〜１０個互いに突き合わせて並べ、かつ互いに上下に２〜８個積み重ねて、水平方向のコークス炉室内にもたらすことを特徴とする、石炭突き固め体をコークス炉室内に装入するための方法。
【発明の詳細な説明】
【技術分野】
【０００１】
本発明は、石炭を突き固めるための方法に関する。この場合、得られた石炭突き固め体が、圧縮又は締め固められた石炭より成る、複数の増大された塊又はブロックを形成しており、これらの塊又はブロックは、塊炭の損失なしにコークス炉室内に装入することができるものでなければならない。また本発明は、水平型コークス炉室に装入するために用いられる石炭突き固め体を製造するための方法の使用法に関する。
【０００２】
コークス炉室内への装入は、多くの形式で行うことができる。蓋を通して装入される形式のコークス炉室は、コークス炉扉及び押し込み装置の構造のために有利である。この場合、装入は、コークス炉蓋に取り付けられた特別な装入機によって、コークス炉蓋の装入開口を介して行われる。しかしながら、コークス炉蓋は、その洗浄が困難であるという問題がある。従って、コークス炉室のための大抵の構造形式では、装入は、正面からコークス炉室扉を開放して行われ、それによって装入過程は著しく迅速に、かつ丁寧に行うことができる。このために、コークス炉室の両正面側に扉が設けられており、この２つの扉を介してコークス炉室内への装入及びコークス炉室からの押出が行われるようになっている。一方の正面側には、典型的な形式の装入機及び消火車が設けられており、これらの装入機及び消火車は、コークス炉の前で正面壁に沿って走行せしめられ、コークス炉室の前で装入又は消火のために走行せしめられる。他方の正面側には、押出機が取り付けられており、この押出機はやはり、コークス炉室の前で正面壁に沿って走行せしめられ、コークス炉室の前で押出のために走行せしめられる。
【０００３】
水平型のコークス炉室に装入するための、最近の構造形式は、ドイツ連邦共和国特許公開第１９５４５７３６号明細書に記載されている。この場合、石炭は、炉の外側において平らな底プレート上にあけて均一な高さに積み上げ、締め固め、次いで締め固められた石炭ケーキが、底プレートと共に炉室内へ搬入され、次いで石炭ケーキの端部を保持しつつ底プレートだけが炉室から引き戻されるようになっている。このような方法によれば、床ヒータを備えた特別な水平型コークス炉室に装入することができる。しかしながら、この方法においては、装入の際に、締め固められた石炭から石炭塊が装入機から落下することによって、石炭の一部が失われることになる。装入時に、石炭ケーキがコークス炉室の前で落下することもある。また、この方法によれば、石炭の定量供給は不可能である。何故ならば、必ずしも正確に分配された量の石炭がコークス炉室内に供給されるわけではないからである。
【０００４】
圧縮された石炭ケーキを製造するために適した装置については、国際公開第２００６／０５６２８６号明細書に記載されている。この公知の明細書に記載された方法によれば、石炭ケーキは、プレス型内で、水平方向の限定されたストローク長さで作業する定置のプレス装置によって成形される。プレス型は、スライド可能なストッパ壁を有しており、該ストッパ壁は、石炭ケーキが増大するにつれて、逆向きに作用する適当なブレーキ力を加えながら、プレス工具から次第に離れる方向に移動せしめられる。この方法によれば、石炭ケーキは、石炭搬送台車又はコークス炉室内へもたらされる前に突き固められるが、コークス炉室を充填するための、正確に調量された石炭分量が提供されることはない。
【０００５】
本発明の課題は、石炭ケーキを正確に調量された分量で付き固めるための方法を提供することである。また本発明の課題は、コークス炉室に、調量された石炭分量を装入するための方法を提供することである。この方法によれば、石炭を意図せずに周囲にばらまくことは避けられ、コークス炉室内でコークス化させるための石炭を、正確に調量された分量で提供することができる、という利点が得られる。
【０００６】
この課題を解決した本発明によれば、石炭を圧縮することによって、所定の分量の石炭を搬送する際に塊炭が全く失われることがないか、又は著しく少量の塊炭しか失われることのない程度に高密度に突き固められた石炭分量が提供される。石炭突き固め体は、適当なプレス装置で圧縮することによって製造され、これによってまず、大きい圧縮ケーキが形成され、この圧縮ケーキから、適当な切断工具によって、所望の大きさの石炭突き固め体が提供される。この石炭突き固め体は、コークス化のために積み重ねられ、装入機又はその他の適当な装置によってコークス炉室内に押し込まれる。
【０００７】
石炭突き固め体は、圧縮の際に適当な成形部材によって圧縮され、それによって石炭突き固め体の表面に、窪み、凹部又は波形形状が形成されるので、石炭ケーキのコークス化特性は改善される。これによって、例えばコークス化時間が著しく短く短縮される。また石炭突き固め体に複数の中間層を設けることもでき、これらの中間層によって、石炭突き固め体の固化戻り（Rueckverbackung；back-caking）は避けられ、このような形式で、例えば著しく改善された突き固め体の貯蔵特性が得られる。
【０００８】
石炭を圧縮及び切断することによって、石炭を特にコークス炉室に適するように突き固めるための方法が要求されている。
【０００９】
この場合、石炭を適当なプレス装置によって単数又は複数の石炭ブロックに圧縮し、かつ締め固め、それによって、ばらけることのない密な石炭ケーキを得る方法において、
得られた石炭ケーキを、剪断装置によって複数の突き固め体に分割し、それによって、コークス炉室内でコークス化するために設けられ、かつ正確に調量された分量で提供される石炭突き固め体を得ることを特徴としている。
【００１０】
有利な実施態様によれば、石炭突き固め体は、個別に又は水平方向に互いに突き合わせて並べられるか又は互いに上下に積み重ねられ、或いは水平方向に互いに突き合わせて並べかつ互いに上下に積み重ねて、水平方向に装入するようになっているコークス炉室内に装入される。本発明の別の実施態様によれば、得られた石炭突き固め体は、台車に載せて、水平方向に装入するようになっているコークス炉室内にもたらされるようになっている。
【００１１】
石炭ケーキは、まず従来技術の方法に従って突き固められ、次いで適当な切断工具によって所望の分量に分けられる。適当な切断工具は、例えば金属刃又は鋸刃である。金属刃又は鋸刃は、任意に成形されていて、任意の数の歯を有している。切断作業はワイヤによって行ってもよい。このワイヤは、圧縮された石炭ケーキを切り分けるために十分な太さ及び幅を有している。このワイヤも、任意の材料から成っていてよい。金属刃、鋸刃又はワイヤは、例えば液圧式の切断装置によって水平方向及び垂直方向に移動せしめられ、それによって圧縮された石炭ケーキを切り分けることができる。
【００１２】
このプレス過程も、任意に実施することができる。このプレス過程は、例えば液圧プレスによって実施することができる。液圧プレスは、振動圧縮機を備えていてもよい。この振動圧縮機によって、石炭ケーキは、十分に締め固められた形に突き固めることができる。また、圧縮装置は、打撃装置であってもよい。この打撃装置は、プレッシャプレートに打撃を加えることによって石炭ケーキを突き固められた形にする。この場合、石炭ケーキは、不動のプレート上に載せられ、適当な圧縮装置によって側方及び上方からプレスされる。石炭ケーキは、可動なプレートを有する任意の装置によって、一方の側、複数の側又はすべての側からプレスされる。
【００１３】
プレッシャプレートは任意の形状を有していてよい。プレッシャプレートは、滑らかであるか又は相応の成形部材（形状付与部材）を備えていてよい。成形部材は、例えば波形の型、太いニードル又は押し込み針である。これらの成形部材は、石炭ケーキに、凹部、波形又は窪みの形状を付与する。これは例えば、コークス化時間の短縮のために重要な利点である。
【００１４】
このようにして製造された石炭突き固め体は、十分な大きさの装入開口を有し、かつ正面から装入される水平型コークス炉室内にもたらされる。装入しようとするコークス炉室は、有利な形式で「回収不能（Ｎｏｎ−Ｒｅｃｏｖｅｒｙ）型」又は「熱回収（Ｈｅａｔ−Ｒｅｃｏｖｅｒｙ）型」のコークス炉室であるが、従来型の水平方向で装入されるコークス炉室に装入することもできる。
【００１５】
得られた石炭突き固め体は、コークス炉室内に装入するために上下に積層される。これは任意の積層数及び積層形式で行うことができる。標準的な水平型コークス炉室は、約６〜２０メートルの長さ、６〜１０メートルの高さ、及び０．５〜５メートルの幅を有している。水平型コークス炉室の開口内に装入される、互いに上下に積層された標準的な石炭突き固め体の数は、縦方向で５〜３０、横方向で１〜１０、及び上下方向で２〜８である。石炭突き固め体の数及び大きさは、任意に変えることができる。装入しようとするコークス炉室の大きさも任意に変えることができる。重要なことは、石炭突き固め体が、装入しようとするコークス炉室内に装入できることである。
【００１６】
石炭突き固め体の積層を、適当な中間層によってしゃ断することも可能である。適当な中間層は、例えば灰又は燃焼後にスラッジが残らない紙である。このような形式で、長く貯蔵した場合でも、石炭突き固め体の固化戻りは避けられる。灰は、貯蔵又はコークス化の終了後に、例えば吹き飛ばすことによって取り除かれる。コークス化後に、一般的なせきたんケーキが得られる。この石炭ケーキは、従来技術による一般的な方法でさらに処理される。
【００１７】
得られた石炭突き固め体は、有利な形式で、装入しようとするコークス炉室内に装入機によって水平方向で装入される。装入機による装入方法は、例えばドイツ連邦共和国特許公開第１９５４５７３６号明細書に開示されている。しかしながら、石炭突き固め体をコークス炉室内へ搬入することができるすべての装入形式が適している。これは、例えば必要に応じて変更された装入機であってもよいし、又は簡単な構造形式のフォークリフトであってもよい。
【００１８】
本発明の方法によれば、コークス炉室内に石炭を損失なしに装入することができる、石炭突き固め体が提供される、という利点が得られる。この場合、装入は、例えば回分式に、正確かつ簡単に算出される１回分の量によって行われる。突き固め体の製造は簡単である。適当な中間層を使用することによって、突き固め体は、最適な貯蔵性を有している。
【００１９】
次に本発明による装置を図示の実施例を用いて説明する。図面は、本発明による装置の構造の１実施例を示すだけである。
【図面の簡単な説明】
【００２０】
【図１】本発明の１実施例による装置の概略図である。
【００２１】
図面には、石炭ケーキ１が示されており、該石炭ケーキ１は、切断装置によって複数の石炭突き固め体に分割されている。石炭突き固め体１ａ，１ｂは、石炭ケーキ１の正面側１ａ及び上側１ｂが示されており、これらの石炭突き固め体は切断面１ｃによって分離されている。本来の石炭ケーキ１は、図示の実施例では走行可能な台車２上に載っている。この台車２は、押し込み装置３によってコークス炉室内部４ａに押し込まれる。コークス炉室内部４ａは、開放された状態で示されている。さらに図面には、コークス炉室４、開放機構５ａを備えたコークス炉室扉５、コークス炉室扉囲い壁６、コークス炉蓋７の一部、二次空気床８ｂのための開口８ａを備えたコークス炉底部８が示されている。
【符号の説明】
【００２２】
１  石炭ケーキ、  １ａ  石炭ケーキの正面側から見た石炭突き固め体、  １ｂ  石炭ケーキの上側から見た石炭突き固め体、  １ｃ  石炭ケーキの切断面、  ２  走行可能な台車、  ３  押し込み装置、  ４  コークス炉室、  ４ａ  コークス炉室内部、  ５  コークス炉室扉、  ５ａ  コークス炉扉のための開放機構、  ６  コークス炉室扉囲い壁、  ７  コークス炉蓋、  ８  コークス炉底部、  ８ａ  二次空気床のための開口、  ８ｂ  二次空気床
【図１】
0005615301.tif 000002